(57)【特許請求の範囲】
【請求項１】
送電コア部の中央部を、透明、半透明又は中空のいずれかに形成し、該中央部を介して被充電機器の受電コア中心部を目視可能としたことを特徴とする、非接触充電装置。
【発明の詳細な説明】
【技術分野】
【０００１】
本発明は、携帯用端末機器の充電装置、特に非接触充電装置に関する。
【背景技術】
【０００２】
携帯ゲーム機や携帯電話機、ＰＨＳ（Personal Handyphone System）、ＰＤＡ（Personal Data Assistance,  Personal Digital Assistants：個人向け携帯型情報通信機器）等の携帯端末装置において、非接触充電の採用が増えてきている。
【０００３】
非接触充電とは、電池が内蔵された機器と電源とを電源ケーブル等や接点により直接接続することなく、電池を充電する方法をいう（無接点充電ともいう）。これまでは製造メーカや機種ごとに充電器の構造が異なっており、互換性がなかったが、近年Wireless Power Consortium（ＷＰＣ）が設立され、国際的な規格化が進められつつある。
【０００４】
しかし、非接触充電の規格化が進んでも、機器の形状や充電システムの位置・サイズの選択は、機種の個性化の観点からメーカにゆだねられる。従って、汎用的な非接触充電台を提供する際には、最適な位置に容易にセットできるようにすることが求められる。
【０００５】
例えば特許文献１には、被充電機器と通信を行うことにより、クレードル装置の載置部に、被充電機器の載置位置と１次側伝送コイルの位置を表示できる非接触充電装置が開示されている。また、特許文献２には、１次側伝送コイル面に鏡面部を設けた非接触充電装置が開示されている。
【先行技術文献】
【特許文献】
【０００６】
【特許文献１】特開２００８−３０１５５４号公報
【特許文献２】特開２００８−３０１５５３号公報
【発明の概要】
【発明が解決しようとする課題】
【０００７】
上述のように、従来の携帯端末は、端子もしくはコネクタとケーブルを介して、充電台や充電器により直接充電を行う方式が主流で、充電にはそのための専用の充電台や充電器が必要であった。しかし近年は、非接触充電方式の２次電池を内蔵した携帯端末が増加している。
【０００８】
非接触充電のサービスをする場合、メーカや機種ごとに充電システム位置が異なり、充電台の充電位置は端末に隠れ、端末の充電側は充電台に隠れ、使用者が適正な充電位置を確認するのが困難となっていた。
【０００９】
このような携帯端末装置の非接触充電式の充電装置であって、複数の機種やメーカが異なる端末機器の充電が共通して可能な充電装置が期待されている。
【００１０】
特許文献１に開示された技術は、種々の被充電機器に対してその載置位置をユーザに表示する装置を提供するものであるが、被充電機器と通信を行うための装置と、被充電機器の載置位置と１次側伝送コイルの位置を表示する装置を搭載する必要が生じるために、コストがかかる。
【００１１】
本発明は、非接触充電式の端末機器をセットする際の位置確認が容易で安価な、携帯用端末機器の非接触充電装置を提供することを目的とする。
【課題を解決するための手段】
【００１２】
非接触充電形式の携帯用端末機器は、一般にその受電コア部の位置にマークが付されている。本発明は充電台の少なくとも一部を透明、半透明又は中空とすることで、携帯用端末機器をセットする際のマークの位置確認が容易な構造とするものである。
【００１３】
即ち、第１の視点において、本発明に係る非接触充電装置は、送電コア（部）の中央部を、透明、半透明又は中空のいずれかに形成し、該中央部を介して被充電機器の受電コア中心（部）を目視可能としたことを特徴とする。
【発明の効果】
【００１４】
使用者は、透明、半透明又は中空部分を介して携帯用端末機器の受電コア部のマークを見ることで容易にそのマークと送電コア部の位置とを合わせることができ、したがって携帯用端末機器を非接触充電装置の最適な位置に配置することができる。
【図面の簡単な説明】
【００１５】
【図１】非接触充電式の携帯電話の受電コア位置を示す図である。
【図２】本発明に係る非接触充電装置の一実施例を示す斜視図である。
【図３】図２に示す非接触式充電装置の概略断面図である。
【発明を実施するための形態】
【００１６】
第１の視点において、前記充電台の背面側に、前記透明、半透明又は中空の送電コア部中央部を目視可能なように反射鏡板を具備することが好ましい。
【００１７】
また、前記反射鏡板は、前記透明、半透明又は中空の部分を２回反射させて正面から目視可能なように構成することが好ましい。
【００１８】
また、前記反射鏡板は、その角度及び位置を可変とすることが好ましい。
【００１９】
また、前記透明、半透明又は中空の部分に、前記送電コア部の中央位置を合わせる目安となる目印を配置することが好ましい。
【実施例】
【００２０】
(実施例１)
非接触充電形式の携帯用端末機器には、一般にその受電コア（部）の位置にマークが付されている。そして対応する非接触充電器側には、その送電コア（部）の位置にマークが付されている。両者のマーク位置が重なるように携帯用端末機器を充電器に載置することにより、効率的な充電を行うことができるようになっている。
【００２１】
図１は本発明に係る携帯端末装置の１例としての携帯電話の要部を表したものである。携帯電話１は、２次電池と受電コア２を内蔵した、非接触充電式の携帯電話である。マーク３は、受電コア２の中心部を示すマークである。
【００２２】
本発明の一実施例に係る非接触式充電装置は、その送電コアの中心部が空間部となっている（透明な板でカバーしてもよい）（図示せず）。そこでまず携帯端末機器（例えば携帯電話）を、受電コアの中心部に表示されたマークが見えるように置き、その上に覆うように非接触式充電装置を配置し、その空間部を携帯電話の受電コア中心部に表示されたマークの位置に合わせるようにする。つまり、受電コア中心部のマークが空間部の中央から見えるように配置する（図示せず）。送電コアの中心部の空間の大きさは、受電コア中心部のマークが容易に目視できる程度であればよく、特に限定されるものではない。
【００２３】
このように配置することで、非接触式充電装置の送電コアの位置と、携帯電話の受電コア中心部の位置とを直接目視により容易かつ正確に合わせることができる。
【００２４】
実施例１の場合、携帯端末機器を置いた上に非接触式充電装置を載せ、送電コア部に形成された空間部と携帯端末機器の受電コアを合わせることになる。これは携帯端末機器の形状やその受電コアの位置にかかわらず、非接触式充電装置の送電コア部を自由に合わせることが可能というメリットがある。しかし携帯端末機器の表面形状によっては不安定になる場合もありうる。
【００２５】
（実施例２）
他の実施例として、非接触式充電装置の上に携帯端末機器を載置できるような構造も好ましい。図２は、本発明の一実施例に係る、反射鏡板を背面に有する非接触充電装置の要部を表したものである。本実施例２では、携帯電話１を非接触式充電装置の充電台４の上に載置する構造となっている。充電台４は、携帯電話１を保持する受け部４ａと、携帯電話１を斜めに保持する脚部４ｂを備え、送電コア７の中央部４ｃは本実施例では中空構造（穴）となっている。充電台４は、内部に充電回路６と送電コア７、外部に家庭用コンセントから１００Ｖの電源を得るためのケーブル５を備えている。
【００２６】
しかしこのままでは、携帯電話１を充電台４に載置してもその受電コア中心部のマークを裏側からしか見ることができない。そこで充電台４の背面には反射鏡板８を備えている。携帯電話１を充電台４に載置したとき、この携帯電話１の背面が中空の中央部４ｃを通して正面から反射面８ａに見えるように構成される。
【００２７】
充電台４は、受け部４ａにて携帯電話１を斜めに保持し、ワンセグテレビや時計を表示したまま、保持することができる。また、ケーブル５により家庭用コンセントから１００Ｖの電源を得て、充電回路６と送電コア７により、携帯電話１に送電することができる。
【００２８】
携帯電話１は受電コア２から受電することで、非接触で充電をすることができる。携帯電話１と充電台４は、マーク３が中央部４ｃの中央に在るときに、送電コア７と受電コア２が対向し、最適な位置で充電ができる位置関係となっている。
【００２９】
図３は、充電台４の中央部４ｃの断面である。反射鏡板８の反射面８ａには鏡面めっき処理を施してあり、携帯電話１をセットした際に、背面の受電コア２の中央を示すマーク３を、充電台４の中央部４ｃを通して、反射鏡板８によって正面から見ることが出来るような反射角を持つ、２枚の反射鏡板（２回反射）構成となっている。一点鎖線は、視線の反射経路を示している。これにより、携帯電話１を充電台４にセットする際に、使用者は、反射面８ａを見ることで、容易にマーク３が中央部４ｃの穴の中心に来るように置くことができる。即ち、携帯電話１が充電台４の充電に適切な位置にセットされていることが容易に確認できる。
【００３０】
なお、上記実施例では、充電台４の中央部４ｃを中空構造としたが、透明又は半透明の構造としてもよい（図示せず）。また、透明又は半透明の部分の中央部に、送電コアの中央位置を示す、携帯機器との位置合わせのための円や十字等の目印を設けてもよい（図示せず）。これにより、携帯機器の位置合わせをさらに容易にすることができる。
【００３１】
また、図２では、携帯電話１を横向きに載置するようにし、反射鏡板８を充電台４の上方から見るように配置しているが、反射鏡板を横方向から目視できるように配置構成してもよい（図示せず）。これは、例えば携帯用端末機器を縦方向に載置する場合には、横方向から見たほうが見やすくなるからである。また、反射鏡板の角度や配置位置（像を引き出す方向）を可変としてもよい。
【００３２】
また、透明、半透明又は中空の部分を実施例では円形としているが、円形に限られないことはもちろんである。またその位置や大きさも、一般的な携帯用端末機器の受電コアの大きさや位置に合わせてもよく、また受電コアのマークの目視確認ができる程度の大きさとしてもよいなど、いろいろに設計可能である。
【００３３】
このように、携帯用端末機器の一般的構造を考慮することにより、できるだけ多種類の端末機器に対応できるように、充電台（と反射鏡板）の構造・配置をそれらに適用可能なように最適な組み合わせとすることができる。
【００３４】
本発明の全開示（請求の範囲及び図面を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００３５】
１  携帯電話（端末機器）
２  受電コア(部)
３  マーク
４  充電台
４ａ  受け部
４ｂ  脚部
４ｃ  中央部
５  ケーブル
６  充電回路
７  送電コア(部)
８  反射鏡板
８ａ  反射面
【図１】
0005915191.tif 000002
【図２】
0005915191.tif 000003
【図３】
0005915191.tif 000004